(57)【要約】【課題】液々熱交換器を必要とせず、しかも、ミスト噴出部からの冷たい水の噴出により使用者に不快感を与えることのない浴用ミスト装置を提供する。【解決手段】給湯手段（熱源機）１６が温度設定用操作器１１０を備え、給湯手段と温度設定用操作器とが通信を行うことによりミスト用湯水の温度が設定され、制御部Ｂは給湯手段と温度設定用操作器との通信に係る通信データを受信することができるように構成され、（ａ）ミスト運転の実行前に、制御部が、所定温度範囲外のミスト用湯水の温度に相当する通信データを受信したときには、ミスト噴霧開始指令手段が操作されても、制御部はミスト運転を実行せず、（ｂ）ミスト運転の実行中に、制御部が、所定温度範囲外のミスト用湯水の温度に相当する通信データを受信したときには、制御部はミスト運転の実行を停止するように構成する。  制御部が、上記通信データを受信するが、通信データの送信は行わないようにする。【選択図】図１
2018086045.tif 000002
【特許請求の範囲】
【請求項１】
ミスト噴霧の開始を指令するミスト噴霧開始指令手段と、
ミスト用湯水をミスト状に噴出するミスト噴出手段と、
所定の温度に設定されたミスト用湯水を、ミスト用給湯管路を経由して前記ミスト噴出手段に供給する給湯手段と、
前記ミスト噴霧開始指令手段の操作によって、前記ミスト用湯水を前記ミスト噴出手段からミスト状に噴出するミスト運転を実行する制御部と
を備えた浴用ミスト装置であって、
前記給湯手段が、前記給湯手段から供給される前記ミスト用湯水の温度を設定する温度設定用操作器を備え、
前記給湯手段と前記温度設定用操作器とが通信を行うことにより、前記ミスト用湯水の温度が設定され、
前記制御部は、前記給湯手段と前記温度設定用操作器との通信に係る通信データを受信することができるように構成され、
（ａ）前記ミスト運転の実行前に、前記制御部が、所定温度範囲外の前記ミスト用湯水の温度に相当する通信データを受信したときには、前記ミスト噴霧開始指令手段が操作されても、前記制御部は前記ミスト運転を実行せず、
（ｂ）前記ミスト運転の実行中に、前記制御部が、所定温度範囲外の前記ミスト用湯水の温度に相当する通信データを受信したときには、前記制御部は前記ミスト運転の実行を停止するように構成されていること
を特徴とする浴用ミスト装置。
【請求項２】
前記制御部が、前記通信データを受信するが、前記通信データの送信は行わないように構成されていることを特徴とする請求項１記載の浴用ミスト装置。
【発明の詳細な説明】
【技術分野】
【０００１】
本発明は、浴用ミスト装置に関し、詳しくは、ミスト噴霧が開始が指令されると、給湯手段から供給されるミスト用湯水が、ミスト噴出手段からミスト状に噴霧されるように構成された浴用ミスト装置に関する。
【背景技術】
【０００２】
近年、浴室でミストを噴霧することによりサウナ効果を得ることができるようにした浴用ミスト装置が普及するに至っている。
【０００３】
そのような浴用ミスト装置のひとつとして、特許文献１には、熱源手段から熱媒循環路を通して供給される熱媒により、給水路を通して供給される水を加熱する液々熱交換器を備え、該液々熱交換器において加熱された湯水をミスト噴出手段に供給するように構成された浴用ミスト装置が開示されている。
【０００４】
この浴用ミスト装置を用いることにより、液々熱交換器において適切な温度に加熱された湯水を、ミスト噴出手段からミスト状に噴出させて、手軽にミスト浴を楽しむことが可能になり、有意義である。
【０００５】
また、特許文献１の浴用ミスト装置は、熱源手段から熱媒循環路を経て供給される熱媒により、浴室から吸い込んだ空気を加熱し、加熱された空気を浴室に吹き出して浴室を暖房する暖房機能を備えている。したがって、特許文献１の浴用ミスト装置を備えている場合、ミスト浴を楽しむとともに、快適な入浴を行うことが可能になる。
【先行技術文献】
【特許文献】
【０００６】
【特許文献１】特開２００３−３３４２３０号公報
【発明の概要】
【発明が解決しようとする課題】
【０００７】
しかしながら、特許文献１の浴用ミスト装置においては、上述のように、液々熱交換器において適切な温度に加熱された湯水をミスト噴出部からミスト状に噴出させることで、ミスト噴出部から冷たい水が噴出され、使用者に不快感を与えることがないように構成されているが、給水路を通流する水を加熱するための液々熱交換器が必要であることから、製造コストの増大、構造の複雑化を招くという問題点がある。
【０００８】
本発明は、上記の課題を解決するものであり、液々熱交換器を必要とせず、製造コストを低減することが可能で、しかも、ミスト噴出部からの冷たい水の噴出により使用者に不快感を与えることのない浴用ミスト装置を提供することを目的とする。
【課題を解決するための手段】
【０００９】
上記の目的を達成するために、本発明の浴用ミスト装置は、
ミスト噴霧の開始を指令するミスト噴霧開始指令手段と、
ミスト用湯水をミスト状に噴出するミスト噴出手段と、
所定の温度に設定されたミスト用湯水を、ミスト用給湯管路を経由して前記ミスト噴出手段に供給する給湯手段と、
前記ミスト噴霧開始指令手段の操作によって、前記ミスト用湯水を前記ミスト噴出手段からミスト状に噴出するミスト運転を実行する制御部と
を備えた浴用ミスト装置であって、
前記給湯手段が、前記給湯手段から供給される前記ミスト用湯水の温度を設定する温度設定用操作器を備え、
前記給湯手段と前記温度設定用操作器とが通信を行うことにより、前記ミスト用湯水の温度が設定され、
前記制御部は、前記給湯手段と前記温度設定用操作器との通信に係る通信データを受信することができるように構成され、
（ａ）前記ミスト運転の実行前に、前記制御部が、所定温度範囲外の前記ミスト用湯水の温度に相当する通信データを受信したときには、前記ミスト噴霧開始指令手段が操作されても、前記制御部は前記ミスト運転を実行せず、
（ｂ）前記ミスト運転の実行中に、前記制御部が、所定温度範囲外の前記ミスト用湯水の温度に相当する通信データを受信したときには、前記制御部は前記ミスト運転の実行を停止するように構成されていること
を特徴としている。
【００１０】
本発明の浴用ミスト装置においては、前記制御部が、前記通信データを受信するが、前記通信データの送信は行わないように構成されていることが好ましい。
【発明の効果】
【００１１】
本発明の浴用ミスト装置は、上述のように、所定の温度に設定されたミスト用湯水が、給湯手段からミスト用給湯管路を経由してミスト噴出手段に供給されるように構成されており、液々熱交換器を必要としないので、部品点数を減らし、構成を簡潔にして、製造コストを低減することができる。
【００１２】
さらに、本発明の浴用ミスト装置は、上述のように構成されており、ミスト用湯水の温度が上記所定の温度範囲外の温度になることを事前に認識することができるので、ミスト噴出部から冷たい水や熱い湯が噴出されることにより使用者に不快感を与えることを確実に回避することができる。
【００１３】
すなわち、給湯手段が温度設定用操作器を備え、給湯手段と温度設定用操作器とが通信を行うことによりミスト用湯水の温度が設定され、制御部は、給湯手段と温度設定用操作器との通信に係る通信データを受信することができるように構成され、（ａ）ミスト運転の実行前に、制御部が、所定温度範囲外のミスト用湯水の温度に相当する通信データを受信したときには、ミスト噴霧開始指令手段が操作されても、制御部はミスト運転を実行せず、（ｂ）ミスト運転の実行中に、制御部が、所定温度範囲外のミスト用湯水の温度に相当する通信データを受信したときには、制御部はミスト運転の実行を停止するように構成されているので、ミスト用湯水の温度を検出するための検出手段によるミスト用温水の温度の検出結果を待つことなく、ミスト用湯水の温度が上記所定の温度範囲外の温度になることを事前に認識することができ、ミスト噴出部から冷たい水や熱い湯が噴出されることを確実に回避することができる。
【００１４】
また、本発明の浴用ミスト装置においては、前記制御部が、前記通信データを受信するが、前記通信データの送信は行わないように構成されているので、製造コストの低減を図ることが可能になるとともに、給湯手段と温度設定用操作器との間で行われる通信において無用な通信エラーが発生することを防止して、信頼性の高い浴用ミスト装置を提供することが可能になる。
【図面の簡単な説明】
【００１５】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える脱衣所用の操作器の正面図である。
【図６】本発明の一実施形態にかかる浴用ミスト装置が備える浴室内用の操作器の正面図である。
【図７】本発明の一実施形態にかかる浴室乾燥機の制御部と操作器（温度設定用操作器）との通信線の接続を示す概念図である。
【発明を実施するための形態】
【００１６】
以下、本発明の実施形態を示して、その特徴とするところをさらに詳しく説明する。
【００１７】
［実施形態］
この実施形態にかかる浴用ミスト装置は、図１〜３に示すように、ユニットバスなどの浴室２に設置されるミスト機能付浴室暖房乾燥機（以下、単に「浴室暖房乾燥機Ａ」という）として構成されている。
【００１８】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴を実行する機能を備えている。
【００１９】
また、この浴室暖房乾燥機Ａを浴室２に設置するにあたっては、例えば、図３に示すように、浴槽７の上方の、浴室２の天井８に設置される。
【００２０】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２１】
また、図１および図２に示すように、浴室暖房乾燥機本体９内には、温風用熱交換器１３および送風機１４（１４ａ，１４ｂ）が内装されている。
【００２２】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
なお、上述の熱源機（暖房用温水供給用熱源機）１６は、本発明の浴用ミスト装置における給湯手段を兼ねるように構成されている。
【００２３】
また、図１および図２に示すように、暖房用温水管路１５には温風用熱交換器１３への温水の供給を開閉する熱動弁（本発明の浴用ミスト装置における暖房用温水通流制御部）（暖房用開閉弁）１７が設けられており、暖房用温水管路１５にはこの管路を流れる温水の温度を検出する暖房温水サーミスタＴＨ２が配設されている。
【００２４】
なお、熱源機１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００２５】
図１に示すように、この実施形態にかかる浴室暖房乾燥機Ａにおいて、送風機１４は、浴室内空気を循環させる循環ファン１４ａと、浴室内空気を外部へ排出する換気ファン１４ｂとを備えた構成とされている。また、屋外への排気口の手前には、逆流を防止するための逆風止め５０を備えている。
【００２６】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００２７】
また、この浴室暖房乾燥機Ａは、ミスト浴の機能を具備するためにミスト発生部１９が組み込まれている。ミスト発生部１９のミストノズル（ミスト噴出手段）４は、グリル板１２の一部に配置されており、ミスト用給湯管路２０がミストノズル４に連通している。
【００２８】
図２に示すように、ミストノズル４として、３．０リットル／ｍｉｎ程度の流量で温水のミストを噴霧する２個のミストノズル（ミスト噴出手段）４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水がミスト状に噴霧される。
【００２９】
そして、２つのミストノズル４（４ａ，４ｂ）の両方から温水のミストを噴霧すると、ミスト用給湯管路２０に６．０リットル／ｍｉｎの温水が通流し「強」に相当するミスト量でミストが噴霧され、脱衣所用の操作器５に備える強ＬＥＤ３４ａ、および、浴室２内に設けた操作器３０に備える強ＬＥＤ１３４ａが点灯し、２つのミストノズル４ａ，４ｂの一方から温水のミストを噴霧すると、ミスト用給湯管路２０に３．０リットル／ｍｉｎの温水が通流し「弱」に相当するミスト量でミストが噴霧され、脱衣所用の操作器５に備える弱ＬＥＤ３４ｂ、および、浴室２内に設けた操作器３０に備える弱ＬＥＤ１３４ｂが点灯するように構成されている。
【００３０】
この実施形態の、浴用ミスト装置を備えた浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３１】
ミスト用給湯管路２０には、本発明における給湯手段としても機能する熱源機１６から温水が供給されるように構成されており、入口側から順にストレーナ２２、給湯電磁弁（給水開閉弁）２３が設けられている（図１、図２）。ただし、図３においては、給湯配管の図示は省略している。
なお、ミスト用湯水を、熱源機１６とは別に配設された給湯手段から供給するように構成することも可能である。
【００３２】
また、この実施形態にかかる浴室暖房乾燥機Ａの取扱説明書には、浴室暖房を行う場合に、浴室２の温度が、給湯手段（熱源機）１６が備える、後述のミスト用湯水温度設定部における設定温度に維持される旨（つまり、給湯手段を兼ねる熱源機１６の出湯設定温度を所定の範囲（この実施形態では４０℃から４８℃の範囲）に設定することで、浴室暖房を行う場合における希望温度（暖房設定温度）が設定されることになる旨）が記載されている。
【００３３】
そのため、使用者は、熱源機１６で設定された温度が暖房設定温度となることを認識した上で、熱源機１６における給湯温度を設定することとなり、その温度で温水の供給が行われ、浴室の暖房が行われることになるため、使用者が驚いたり、不快に感じたりすることが抑制、防止される。
【００３４】
このように、浴室暖房を行う場合は、浴室暖房についての希望暖房温度（暖房設定温度）となるように、給湯手段（熱源機１６）の出湯設定温度を設定することになるため、浴室内用の操作器３０には、浴室暖房時において浴室内の温度を設定するスイッチは設けられていない（図６参照）。
【００３５】
なお、浴室暖房を実行したとき、この浴室暖房によって浴室２内の温度が、給湯手段（熱源機１６）から供給されるミスト用湯水の温度に制御される点については後述する。
【００３６】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００３７】
また、浴室暖房乾燥機Ａは、図３に示すように、浴室２外の脱衣所に設けた操作器（浴室外用の操作器）５や浴室２内に設けた操作器（浴室内用の操作器）３０にてリモコン操作されるように構成されている。
【００３８】
図５に示すように、浴室外用（脱衣所用）の操作器５には、タイマー表示部３１、タイマー設定スイッチ３２、風向スイッチ３３、ミストサウナスイッチ（第１のミストサウナスイッチ）３４、乾燥スイッチ６、暖房スイッチ３６、涼風スイッチ３７、換気スイッチ３８、停止スイッチ３９が設けられている。
【００３９】
また、図６に示すように、浴室内用の操作器３０には、状態表示部４０、浴室内ミストサウナスイッチ（第２のミストサウナスイッチ）１３４、浴室内暖房スイッチ１３６、浴室内涼風スイッチ１３７、浴室内風向スイッチ１３３、ミスト入浴時間計測用のストップウォッチのスタート／ストップスイッチ１４３、リセットスイッチ１４５、浴室内停止スイッチ１３９が設けられている。
【００４０】
また、この実施形態にかかる浴室暖房乾燥機Ａにおいては、グリル板１２の吸い込み口１近傍に、吸気の湿度を検知する湿度検出手段（湿度センサ）２７（図１、図２）が配設されている。
湿度検出手段２７としては、例えば、ＮＴＣサーミスタなどの感温素子で構成された湿度センサを用いることができる。
【００４１】
また、図４は、浴用ミスト装置（を備えた浴室暖房乾燥機Ａ）の制御部Ｂの一例を示す図である。制御部Ｂには、メモリ２８、演算回路２９などが内蔵され、上記浴室外用の操作器５や浴室内用の操作器３０をリモコン操作することで制御部Ｂにて、以下に説明するような制御が行われるように構成されている。
【００４２】
次に、この実施形態にかかるミスト機能付浴室乾燥機（浴室暖房乾燥機）Ａにおいて、浴室暖房を実行したとき、浴室暖房によって浴室２内の温度が、本発明における給湯手段を兼ねる熱源機１６から供給されるミスト用湯水の温度に制御される点について説明する。
【００４３】
この実施形態の浴室暖房乾燥機Ａにおいては、上述のように、給湯手段（熱源機）１６が、供給する温水の温度、すなわち、ミスト用湯水の温度を設定するミスト用湯水温度設定部（図示せず）を備えている。
【００４４】
制御部Ｂは、浴室温度サーミスタＴＨ３による検出温度（浴室から吸い込んだ空気の温度）が、ミスト温度サーミスタ（ミスト用湯水温度検出手段）ＴＨ１で検出される温度より高いとき、熱動弁１７を制御して暖房用温水管路１５を通流する暖房用温水の通流を遮断する。
【００４５】
また、制御部Ｂは、浴室温度サーミスタＴＨ３による検出温度（浴室から吸い込んだ空気の温度）が、ミスト温度サーミスタ（ミスト用湯水温度検出手段）ＴＨ１で検出される温度より低いとき、熱動弁１７を制御して暖房用温水管路１５を通流する暖房用温水の通流を維持する。
【００４６】
暖房用温水管路１５を通流する温水の温度は、通常、７０℃から８０℃程度に設定されているので、制御部Ｂが熱動弁１７を制御して暖房用温水管路１５を通流する暖房用温水の通流を維持したときには、浴室２から吸い込まれた空気が温風用熱交換器１３によって加熱され、浴室２から吸い込まれた空気の温度が上昇して浴室２内に戻される。
【００４７】
また、制御部Ｂが熱動弁１７を制御して暖房用温水管路１５を通流する暖房用温水の通流を遮断したときには、浴室２から吸い込まれた空気は、温風用熱交換器１３によって加熱されず、浴室２から吸い込まれた空気の温度が上昇せず浴室２内に戻される。
【００４８】
なお、浴室２から吸い込まれた空気が温風用熱交換器１３によって加熱されず、そのまま（温度が上昇することなく）、浴室２内に戻された場合は、浴室２における室外への放熱などによって、浴室２内の温度は低下していくことになる。
【００４９】
したがって、浴室暖房を実行したとき、浴室温度サーミスタＴＨ３による検出温度（浴室から吸い込んだ空気の温度）が、ミスト温度サーミスタ（ミスト用湯水温度検出手段）ＴＨ１で検出される温度より高いとき、制御部Ｂが、熱動弁１７を制御して暖房用温水管路１５を通流する暖房用温水の通流を遮断し、また、浴室温度サーミスタＴＨ３による検出温度（浴室から吸い込んだ空気の温度）が、ミスト温度サーミスタＴＨ１（ミスト用湯水温度検出手段）で検出される温度より低いとき、制御部Ｂが、熱動弁１７を制御して暖房用温水管路１５を通流する暖房用温水の通流を維持することによって、浴室２内の温度は、給湯手段（熱源機）１６から供給されるミスト用湯水の温度に制御されることになる。
【００５０】
上述のように構成されたこの実施形態にかかる浴室暖房乾燥機Ａは、液々熱交換器を必要としないので、製造コストを低減することが可能で、しかも、複雑な制御を必要とせず、簡単に浴室の温度を制御することができる。
【００５１】
つまり、給湯手段（熱源機）１６から供給されるミスト用湯水の温度は、ミスト用湯水温度設定部（図示せず）による設定温度に設定され、かつ、浴室から吸い込んだ空気の温度がミスト用湯水の温度となるように暖房用温水の通流が制御されるので、浴室の温度が、給湯手段（熱源機）１６が本来的に備えるミスト用湯水温度設定部による設定温度となるように簡単に制御することが可能で、別途浴室温度を設定するための浴室温度設定部を必要とすることなく、簡素な構成の浴用ミスト装置（を備えた浴室暖房乾燥機）を提供することが可能になる。
【００５２】
また、上述のように、取扱説明書に、「浴室の温度が、給湯手段が備えるミスト用湯水温度設定部における設定温度に維持される旨」、すなわち、「浴室暖房を行う場合において、浴室暖房についての希望暖房温度（暖房設定温度）を、給湯手段（熱源機）１６の出湯設定温度として指定することができる旨」が記載されているので、使用者は、給湯手段を兼ねる熱源機１６で設定された温度が、暖房設定温度となることを認識した上で、熱源機１６における給湯温度を設定することとなるため、構成が簡潔で、使い勝手のよい浴用ミスト装置（を備えた浴室暖房乾燥機）を実現することができる。
【００５３】
＜特徴的構成＞
この実施形態にかかる、浴用ミスト装置（を備えた浴室暖房乾燥機Ａ）は、上述のように構成されているばかりでなく、以下に説明するような特徴的な構成を備えている。
【００５４】
まず、この実施形態にかかる浴用ミスト装置は、給湯手段（熱源機）１６から供給され、ミスト用給湯管路２０を通流するミスト用湯水の温度を検出するミスト用湯水温度検出手段ＴＨ１を備えている。
【００５５】
また、この浴室暖房乾燥機Ａにおいては、図７に示すように、給湯手段（熱源機）１６と、給湯手段１６から供給されるミスト用湯水の温度を設定する操作器（温度設定用操作器）１１０とが第１の通信線１０１により接続されている。
【００５６】
さらに、この浴室暖房乾燥機Ａにおいては、第１の通信線１０１と、制御部Ｂとが、第２の通信線１０２により接続されている。
【００５７】
そして、浴室暖房乾燥機Ａが備える制御部Ｂ（図４、図７）が、給湯手段（熱源機）１６と給湯手段１６の操作器（温度設定用操作器）１１０との間で行われる通信データを、上記第１の通信線１０１から第２の通信線１０２を経て、受信することができるように構成されている。
【００５８】
そして、制御部Ｂは、上記通信データに含まれる、給湯手段（熱源機）１６の出湯設定温度に関するデータ（出湯設定温度データ）を監視するように構成されている。
【００５９】
すなわち、この浴室暖房乾燥機Ａでは、上述のように、浴室暖房乾燥機Ａの取扱説明書に、浴室暖房を行う場合は、浴室暖房についての希望暖房温度（暖房設定温度）に、給湯手段を兼ねる熱源機１６の出湯設定温度を設定する（この実施形態では、４０℃から４８℃の範囲に設定する）ように記載されており、浴室暖房乾燥機Ａが備える制御部Ｂは、第１の通信線から、第２の通信線１０２を経て、給湯手段（熱源機）１６と、給湯手段１６の操作器（温度設定用操作器）１１０との間で行われる通信データを受信できるように構成されており、制御部Ｂは、給湯手段（熱源機）１６の出湯設定温度データを監視するように構成されている。
【００６０】
そして、ミスト運転が開始されていない状態で、浴室外用（脱衣所用）の操作器５のミスト噴霧開始指令手段であるミストサウナスイッチ（第１のミストサウナスイッチ）３４、あるいは、浴室内用の操作器３０のミスト噴霧開始指令手段である浴室内ミストサウナスイッチ（第２のミストサウナスイッチ）１３４の操作によって、ミスト噴霧開始指令が発令された場合、出湯設定温度データが上記所定の温度範囲（この実施形態では、４０℃から４８℃）外の温度に相当するデータである場合には、ミスト開閉弁２１ａ，２１ｂのいずれをも開弁せず、ミストの噴霧を開始しないように構成されている。
【００６１】
また、ミストの噴霧中（ミスト運転の実行中）において、出湯設定温度データが所定の温度範囲（４０℃から４８℃）外に相当するデータである場合、ミスト開閉弁２１ａ，２１ｂを閉弁して、ミストの噴霧を停止するように構成されている。
【００６２】
したがって、給湯手段（熱源機）１６の操作器（温度設定用操作器）１１０によって給湯手段（熱源機）１６の出湯設定温度が所定の温度範囲（４０℃から４８℃）外の温度に設定された場合において、ミスト噴出手段（ミストノズル）４（４ａ，４ｂ）から冷たい水や熱い湯が噴出されることを防止することができる．その結果、使用者に対して、冷たい水や熱い湯を浴びることによる不快感を与えることのない浴用ミスト装置を提供することが可能になる。
【００６３】
つまり、給湯手段を兼ねる熱源機１６からの湯水は、本来、ミスト用湯水として使用されるのではなく、台所や洗面所において用いられるものであることから、ミストの使用者以外の者が、台所や洗面所において出湯設定温度を所定の温度範囲（この実施形態では４０℃から４８℃）外の温度に設定することが十分考えられるが、この実施形態にかかる浴室暖房乾燥機（浴用ミスト装置）の場合、ミスト温度サーミスタＴＨ１による検出温度が上記所定の温度範囲（４０℃から４８℃）外であることを検出するよりも早く、操作器（温度設定用操作器）１１０において、給湯手段を兼ねる熱源機１６の出湯設定温度が上記所定の温度範囲（４０℃から４８℃）外の温度に設定されたという情報を認識することで、ミスト噴出部から冷たい水や熱い湯が噴出されることにより使用者に不快感を与えることを確実に回避することが可能になる。
【００６４】
なお、制御部Ｂは、図７に示す、給湯手段（この実施形態では、給湯手段を兼ねる熱源機）１６と給湯手段１６の操作器（温度設定用操作器）１１０とを接続する第１の通信線１０１から、第２の通信線１０２を経て、給湯手段（熱源機）１６と操作器（温度設定用操作器）１１０との間で行われる通信データを受信できるように構成されているが、制御部Ｂは、上記の通信データを受信するのみで、給湯手段（熱源機）１６または操作器（温度設定用操作器）１１０に対してデータの送信は行わないように構成されている。
【００６５】
このように、制御部Ｂが、給湯手段（この実施形態では、給湯手段を兼ねる熱源機）１６と操作器（温度設定用操作器）１１０との間で行われる通信データを受信するのみで、給湯手段１６と給湯手段１６の操作器１１０に対してデータの送信は行わないように構成されているので、製造コストの低減を図ることが可能になるとともに、給湯手段（熱源機）１６と操作器１１０との間で行われる通信において無用な通信エラーが発生することを防止することができる。
【００６６】
なお、給湯手段（この実施形態では、給湯手段を兼ねる熱源機）１６と操作器１１０との間の通信を無線により行うように構成することも可能であり、その場合には、制御部Ｂが、給湯手段１６と操作器１１０との間で行われる通信用無線を受信することができるように構成されることになる。
【００６７】
なお、本発明は、上記実施形態に限定されるものではなく、発明の範囲内において種々の応用、変形を加えることが可能である。
【符号の説明】
【００６８】
１        吸い込み口
２        浴室
３        吹き出し口
４（４ａ，４ｂ）    ミスト噴出手段（ミストノズル）
５        浴室外用（脱衣所用）の操作器
９        浴室暖房乾燥機本体
１２      グリル板
１３      温風用熱交換器
１４      送風機
１４ａ    循環ファン
１４ｂ    換気ファン
１６      給湯手段を兼ねる熱源機（暖房用温水供給用熱源機）
１７      熱動弁（暖房用温水通流制御部）
１８      可動ルーバー
１９      ミスト発生部
２０      ミスト用給湯管路
２１ａ    ミスト開閉弁
２１ｂ    ミスト開閉弁
２２      ストレーナ
２３      給湯電磁弁
２７      湿度検出手段（湿度センサ）
２８      メモリ
２９      演算回路
３０      浴室内用の操作器
３１      浴室外用の操作器のタイマー表示部（時間表示部）
３４      浴室外用の操作器のミスト噴霧開始指令手段（第１のミストサウナスイッチ）
３４ａ    強ランプ
３４ｂ    弱ランプ
３８      浴室外用の操作部の換気スイッチ
４０      浴室内用の操作器の状態表示部
５０      逆風止め
５１      往き配管
５２      往き配管接続部
６１      戻り配管
６２      戻り配管接続部
１０１    給湯手段と操作器（給湯手段操作器）とを接続する第１の通信線
１０２    第１の通信線と、制御部とを接続する第２の通信線
１１０    操作器（給湯手段操作器）
１３４    浴室内用の操作器のミスト噴霧開始指令手段（第２のミストサウナスイッチ）
１３４ａ  強ランプ
１３４ｂ  弱ランプ
Ａ        浴室暖房乾燥機
Ｂ        制御部
ＴＨ１    ミスト用湯水温度検出手段（ミスト温度サーミスタ）
ＴＨ２    暖房温水サーミスタ
ＴＨ３    浴室温度サーミスタ
【図１】
2018086045.tif 000003
【図２】
2018086045.tif 000004
【図３】
2018086045.tif 000005
【図４】
2018086045.tif 000006
【図５】
2018086045.tif 000007
【図６】
2018086045.tif 000008
【図７】
2018086045.tif 000009